(57)【特許請求の範囲】
【請求項１】
上部に位置し、上に凸にくぼみ状に湾曲したフックと、
前記フックから下部に向かって両開きに設けられた肩掛け杆と、
前記肩掛け杆の両下端を横架する水平杆とを備え、
前記フックと前記肩掛け杆と前記水平杆とで三角枠が形成されるとともに、前記肩掛け
杆の一部にハンガー本体の内外に開閉する開閉部が設けられ、
前記開閉部は、水平杆側で軸支され、バネを介して、物干し竿が押し当てられると回動し、物干し竿が押し当てられていないときは、閉じた状態にあり、前記肩掛け杆と整合して突起箇所がないように構成されていることを特徴とするハンガー。
【発明の詳細な説明】
【技術分野】
【０００１】
本発明は、フックと、肩掛け杆と、水平杆とで三角枠を形成したことにより、カギ状のフックをなくし、ハンガー同士の絡まりを防ぎ、落下しにくいハンガーに関する。
【背景技術】
【０００２】
この種のハンガーに関して、従来、図６に示す技術が知られている（例えば、特許文献１を参照。）。このハンガー１００は、ハンガー１００のフック部分１０１にガード部分１０２を装着してフックを円形にすることでフック同士の絡まりを抑えた構造になっている。
【先行技術文献】
【特許文献】
【０００３】
【特許文献１】特開２０１０―２５３００９号公報
【発明の概要】
【発明が解決しようとする課題】
【０００４】
しかしながら、特許文献１のハンガー１００は、ハンガー１００のフック部分１０１に柔軟性を備えたガード部分１０２を装着しているため、収納時にガード部分１０２が変形し、カギ形状に近い形状に戻りやすく、絡まりを防止する機能を完全には有していない。
【０００５】
また、物干し竿に吊るす時にも前記の形状になることから風によるハンガーの回転により落下し易いという問題があった。
【０００６】
そこで、本発明が解決しようとする課題は、収納時のハンガー同士の絡まりを防ぎ、落下しにくいハンガーを提供することである。
【課題を解決するための手段】
【０００７】
この発明は、前記課題を解決するためになされたもので、請求項１に記載のハンガーは、上部に位置し、上に凸にくぼみ状に湾曲したフックと、前記フックから下部に向かって両開きに設けられた肩掛け杆と、前記肩掛け杆の両下端を横架する水平杆とを備え、前記フックと前記肩掛け杆と前記水平杆とで三角枠が形成されるとともに、前記肩掛け杆の一部にハンガー本体の内外に開閉する開閉部が設けられ、前記開閉部は、水平杆側で軸支され、バネを介して、物干し竿が押し当てられると回動し、物干し竿が押し当てられていないときは、閉じた状態にあり、前記肩掛け杆と整合して突起箇所がないように構成されていることを特徴としている。
【０００８】
請求項１に記載のハンガーによれば、従来は、肩掛け杆と水平杆とから形成される三角形の上部から、カギ状のフックが突出した形状であることにより、カギ状のフック同士が絡まっていたところ、フックが三角枠の一部となるように設けられたことで、収納時のハンガー同士の絡まりをなくすことができ、さらに、ハンガーの落下防止にもなる。
【０００９】
また、請求項１に記載のハンガーによれば、ハンガー本体の内外に開閉する開閉部が設けられているので、開閉部を物干し竿に軽く押し当てるだけで、掛け外しができる。
【００１０】
請求項２に記載のハンガーは、請求項１において、前記開閉部は、水平杆側で軸支されていることを特徴としている。
【００１１】
請求項２に記載のハンガーによれば、請求項１の効果に加えて、開閉部が、水平杆側で軸支されていることにより、開閉部が洋服に完全に覆われることが無く、洋服を掛けたままの状態で、物干し竿に掛け外すことができる。
【００１２】
請求項３に記載のハンガーは、請求項１又は請求項２において、前記フックは、内側に滑り止めが設けられていることを特徴としている。
【００１３】
請求項３に記載のハンガーによれば、請求項１又は請求項２の効果に加えて、フックの内側に滑り止めを設けたことにより、風によりハンガーが移動し、洗濯物同士が重なってしまうことや、回転によるフックのずれを防ぐことができる。
【発明の効果】
【００１４】
この発明によれば、収納時のハンガー同士の絡まりを防ぎ、落下しにくいハンガーを提供することができる。
【図面の簡単な説明】
【００１５】
【図１】本発明の一実施形態に係るハンガーの正面図である。
【図２】開閉部の正面図である。
【図３】開閉部の側面図である。
【図４】開閉部の側面図である。
【図５】本発明の一実施例に係る肩掛け杆及び水平竿からフックの長さと、滑り止めに関する説明に供する図である。
【図６】従来のハンガーの実施例を示す図である。
【発明を実施するための形態】
【００１６】
以下、本発明を適用した具体的な実施の形態について、図面を参照しながら詳細に説明する。本発明は、例えば、図１に示すような構成のハンガーに適用される。
【００１７】
先ず、図１を参照して、ハンガー１の構成の概略について説明する。このハンガー１は、図１に示すように、ポリプロピレン又はスチロール樹脂からなる、フック２と、肩掛け杆３，４と、水平杆５と、開閉部６とを主要部として備えている。
【００１８】
フック２は、ハンガー１の上部に位置し、凸にくぼみ状に湾曲し、ハンガー１の三角枠の一部となるように設けられている。
【００１９】
肩掛け杆３，４は、フック２から下部に向かって両開きに設けられている。また、肩掛け杆３，４の一方には、開閉部６が設けられている。
【００２０】
水平杆５は、肩掛け杆３，４の両下端を横架している。
【００２１】
開閉部６は、肩掛け杆３，４の一方にあり、水平杆５側で軸支されている。また、開閉部６は、水平杆５側で軸支されているため、回動自在であり、軽く物干し竿に押し当てるだけで、開閉部６が開閉し、フック２を物干し竿に掛けることができる。
【００２２】
次に、図２及び図３を参照して、開閉部６の概略を説明する。この開閉部６は、図３及び図４に示すように、ハンガー１を物干し竿に掛けるために設けられており、留め具７と、開口部部品８と、バネ９と、ストッパー１０と、本体加工部（本体凸部）１１とを主要部として備えている。
【００２３】
留め具７は、肩掛け杆３，４の一方と開口部部品８とを係止するものである。
【００２４】
開口部部品８は、ハンガー１と同じ素材であるポリプロピレン又はスチロール樹脂からなるものであり、開口した部分に物干し竿を通すことが可能になるように、長さを８ｃｍとしている。また、開口部部品８の形状は、側面から見た際の形状は、コ字形状としている。
【００２５】
バネ９は、開口部部品８と肩掛け杆３，４の一方とを係止する留め具７に巻き付けられており、バネ９が留め具７に巻き付けられることで、開口部部品８がハンガーの内外で自由に固定される。
【００２６】
ストッパー１０は、側面視長方形の開口部部品８のコ字形状の内側両側面に爪状の多数の突起を備えている。この多数の突起は、物干し竿にハンガー１を掛けた後、開口部部品８がハンガー１の三角枠内外に動かないようにしている。
【００２７】
本体加工部（本体凸部）１１は、開口部部品８の隙間を自由に挿通することができるように、幅を１ｃｍとしている。
【００２８】
この発明に係る衣料用ハンガーの第一の実施例について、図１乃至図３に基づいて説明する。
【実施例１】
【００２９】
以下、本発明を実施例及び比較例により更に具体的に説明するが、本発明は、これらに限定されるものではない。
【００３０】
図５は、ハンガー１の一つの実施例を例示した図である。このハンガー２は、図５に示すように、ポリプロピレン又はスチロール樹脂からなり、フック２と、肩掛け杆３，４と、水平杆５と、開閉部６と、滑り止め７とを主要部として備え、フック２の頂点から水平杆５までの高さを１１ｃｍとしている。
【００３１】
フック２は、ハンガー２の上部に位置し、凸にくぼみ状に湾曲し、ハンガー２の三角枠の一部となるように設けられている。
【００３２】
肩掛け杆３，４は、フック２から下部に向かって両開きに設けられている。また、肩掛け杆３，４の一方には、開閉部６が設けられている。
【００３３】
水平杆５は、肩掛け杆３，４の両下端を横架しており、長さを４０ｃｍとしている。
【００３４】
開閉部６は、肩掛け杆３，４の一方にあり、水平杆５側で軸支されている。また、開閉部６は、水平杆５側で軸支されているため、回動自在であり、軽く物干し竿に押し当てるだけで、開閉部６が開閉し、フック２を物干し竿に掛けることができる。
【００３５】
滑り止め７は、摩擦力の高い素材からなりフック２の内側に設けられており、物干し竿からフック２が外れてしまうのを防ぐことができる。
【００３６】
開閉部６の構成及び概略については、上述しているハンガー１の開閉部６と同じであるため、省略する。
【００３７】
続いて、前述のように構成されたハンガー１の使用方法について説明する。ユーザは、先ず、ハンガー１に洗い終えた衣服を掛ける。次に、肩掛け杆３，４のどちらか一方に設けられた開閉部６を物干し竿に軽く押し当てる。
【００３８】
このとき、開口部部品の長さを８ｃｍとしているため、平均的な直径の物干し竿は簡単にハンガー１の三角枠内に入ることができる。物干し竿をハンガー１の三角枠内に入れることができると、該物干し竿をハンガー１の凸にくぼみ状に湾曲したフック部分に掛ける。
【００３９】
この時、フック部分は凸にくぼみ状に湾曲しており、さらに、湾曲部分に滑り止めが設けられているため、物干し竿がフック部分から外れることがない。洗濯物が乾き、衣類及びハンガーを収納する際も、ハンガー１の開閉部６を物干し竿に軽く押し当てることで、ハンガー１の三角枠内にあった物干し竿を簡単に外すことができ、衣類とハンガーとを同時に容易に屋内へ取り込むことができる。
【００４０】
また、衣類を外した後のハンガーを収納する際にも、ハンガー１はフックを含めて三角枠を形成しているため、従来のハンガーのようにハンガー同士の引っかかる部分がなく、絡まることがなく使用しやすい。
【００４１】
なお、本発明は前述した実施の形態のみに限定されるものではなく、本発明の要旨を逸脱しない範囲において種々の変更が可能であることは勿論である。
【符号の説明】
【００４２】
１      ハンガー
２      フック
３，４  杆
５      水平杆
６      開閉部
７      止め具
８      開口部部品
９      バネ
１０    ストッパー
１００  ハンガー
１０１  フック部分
１０２  ガード部分
【要約】
【課題】収納時のハンガー同士の絡まりを防ぎ、落下しにくいハンガーを提供する。
【解決手段】ハンガー１の上部に位置し、上に凸にくぼみ状に湾曲し、ハンガー１の三角枠の一部となるように設けられたフック２と、フック２から下部に向かって両開きに設けられた肩掛け杆３，４と、肩掛け杆３，４の両下端を横架する水平杆５とを備え、フック２と肩掛け杆３，４と水平杆５とで三角枠が形成されるとともに、肩掛け杆３，４の一部にハンガー本体の内外に開閉する開閉部６が設けられているハンガー１において、開閉部６は、水平杆５側で軸支され、フック２は、内側に滑り止めが設けられた構成とする。
【選択図】図１【図１】
0005270777.tif 000002
【図２】
0005270777.tif 000003
【図３】
0005270777.tif 000004
【図４】
0005270777.tif 000005
【図５】
0005270777.tif 000006
【図６】
0005270777.tif 000007